(57)【要約】【課題】  登坂路等の走行環境が変化した場合であっても、ドライバーの意図する加速感が得られ、かつ燃費を向上させる車両駆動力制御装置を提供する。【解決手段】  本発明の車両駆動力制御装置は、アクセル開度に基づきアクセルペダル踏み込み開始後の経過時間を算出する経過時間算出手段と前記アクセル開度と駆動力との関連特性に基づいて第１の駆動力を算出し、前記第１の駆動力を基準値として、前記経過時間の増加量に伴って漸次減少する第２の駆動力を算出する駆動力算出手段と前記第１の駆動力または第２の駆動力のうち、いずれの駆動力を目標駆動力とするかを判定する目標駆動力判定手段と少なくとも前記目標駆動力判定手段により得られた目標駆動力に基づいて駆動力操作量を算出する駆動力操作量算出手段と前記駆動力操作量に基づいて前記駆動力源の駆動力を制御する駆動力制御手段とを備える。【選択図】  図１
2011099394.tif 000002
【特許請求の範囲】
【請求項１】
アクセル開度を検出するアクセル開度センサと、
前記アクセル開度に基づきアクセルペダル踏み込み開始後の経過時間を算出する経過時間算出手段と、
前記アクセル開度と駆動力源の駆動力との関連特性に基づいて第１の駆動力を算出し、前記第１の駆動力を基準値として、前記経過時間の増加に伴って漸次減少する第２の駆動力を算出する駆動力算出手段と、
前記第１の駆動力または第２の駆動力のうち、いずれの駆動力を目標駆動力とするかを判定する目標駆動力判定手段と、
少なくとも前記目標駆動力判定手段により得られた目標駆動力に基づいて駆動力操作量を算出する駆動力操作量算出手段と、
前記駆動力操作量に基づいて前記駆動力源の駆動力を制御する駆動力制御手段とを備えた車両駆動力制御装置。
【請求項２】
アクセル開度を検出するアクセル開度センサと、
自車の車速を検出する車速センサと、
前記アクセル開度と駆動力源の駆動力との関連特性に基づいて第１の駆動力を算出し、前記第１の駆動力を基準値として、前記車速の増加に伴って漸次減少する第２の駆動力を算出する駆動力算出手段と、
前記第１の駆動力または第２の駆動力のうち、いずれの駆動力を目標駆動力とするかを判定する目標駆動力判定手段と、
少なくとも前記目標駆動力判定手段により得られた目標駆動力に基づいて駆動力操作量を算出する駆動力操作量算出手段と、
前記駆動力操作量に基づいて前記駆動力源の駆動力を制御する駆動力制御手段とを備えた車両駆動力制御装置。
【請求項３】
アクセル開度に基づきアクセル操作が開始されたかどうかを判定するアクセル操作開始判定手段をさらに備え、
駆動力算出手段は、第１の駆動力を基準値として、前記アクセル操作開始判定手段により判定されたアクセル操作開始時点からの車速の増加に伴って漸次減少する第２の駆動力を算出することを特徴とする請求項２に記載の車両駆動力制御装置。
【請求項４】
車両の走行抵抗を算出する走行抵抗算出手段をさらに備え、
目標駆動力判定手段は、前記走行抵抗を基準とした値が第２の駆動力より大きい場合、第１の駆動力を目標駆動力とすることを特徴とする請求項１から請求項３のいずれか１項に記載の車両駆動力制御装置。
【請求項５】
走行抵抗を基準とした値は、前記走行抵抗のうち、加速抵抗を除いた値であることを特徴とする請求項４に記載の車両空力制御装置。
【請求項６】
駆動力源の駆動力を伝達する変速機と、
前記変速機の変速比を変更する変速比変更手段をさらに備え、
目標駆動力判定手段は、前記変速比が所定値以上の場合、第１の駆動力を目標駆動力とすることを特徴とする請求項１から請求項５のいずれか１項に記載の車両駆動力制御装置。
【請求項７】
自車が走行する道路の道路曲率を検出する道路曲率検出手段をさらに備え、
目標駆動力判定手段は、前記道路曲率が所定値以上の場合、第１の駆動力を目標駆動力とすることを特徴とする請求項１から請求項５のいずれか１項に記載の車両駆動力制御装置。
【請求項８】
アクセル開度からアクセル開度変化量を算出するアクセル開度変化量算出手段をさらに備え、
目標駆動力判定手段は、前記アクセル開度変化量が所定値以上の場合、第１の駆動力を目標駆動力とすることを特徴とする請求項１から請求項７のいずれか１項に記載の車両駆動力制御装置。
【請求項９】
右左折または走行路変更等の運転者の進路変更意思を検出する進路変更意思検出手段をさらに備え、
目標駆動力判定手段は、前記進路変更意思検出手段により、前記運転者に進路変更の意思があることを検出した場合、第１の駆動力を目標駆動力とすることを特徴とする請求項１から請求項８のいずれか１項に記載の車両駆動力制御装置。
【請求項１０】
目標駆動力判定手段に基づいて、第１の駆動力または第２の駆動力のうち、一方の駆動力を目標駆動力と判定した後、他方の駆動力を目標駆動力と判定した場合、一方の駆動力から徐々に他方の駆動力に変化するように補間した値を目標駆動力とする目標駆動力補間手段をさらに有し、
駆動力操作量算出手段は、前記目標駆動力補間手段により補間された目標駆動力に基づいて駆動力操作量を算出することを特徴とする請求項１から請求項９のいずれか１項に記載の車両駆動力制御装置。
【請求項１１】
第１の駆動力及び第２の駆動力のいずれかを選択可能なスイッチをさらに備え、
目標駆動力判定手段は、前記スイッチにより選択された駆動力を目標駆動力とすることを特徴とする請求項１から請求項１０のいずれか１項に記載の車両駆動力制御装置。
【請求項１２】
目標駆動力判定手段は、車両駆動力制御装置の構成部が故障状態である場合、第１の駆動力を目標駆動力とすることを特徴とする請求項１から請求項１１のいずれか１項に記載の車両駆動力制御装置。
【発明の詳細な説明】
【技術分野】
【０００１】
本発明は、車両に搭載された駆動力源の制御装置、特に、駆動力源の駆動力を制御することで車両の燃費向上を図るようにした車両駆動力制御装置に関するものである。
【背景技術】
【０００２】
近年、自動車業界に於いて燃料消費量の削減、すなわち燃費改善に向けた取り組みが進められている。燃費改善を実現するためには無駄な燃料消費をしないこと等が知られており、例えば、特許文献１には、ドライバーが省燃費モードを選択することで、通常モード選択時に比べてエンジン出力特性を低下させるように制御し、車両の発進等の加速時に必要以上の燃料が消費されるのを防ぐようにした技術が開示されている。
【０００３】
しかし、特許文献１に開示された技術によって燃料消費が低減されることにより、車両の発進シーン及び加速シーンに於いて、ドライバーの思い描く加速度が得られない場合、ドライバーは違和感を抱いてしまい、この違和感を解消するためにアクセルの踏み増しが生じ、かえって燃料消費量が増加するという問題があった。この問題に対して本出願人は、アクセル開度と駆動力の特性に基づいて得られる駆動力を基準値として、アクセルを踏み込んでからの経過時間、もしくは車速の増加に伴って前記駆動力を漸次減少させる目標駆動力を算出し、この目標駆動力に基づいてスロットルバルブ、インジェクタ等の駆動力制御装置を制御することで、無駄な燃料消費を抑え、車両の発進シーン及び加速シーン等の燃費を向上させる車両駆動力制御装置を提案している（特許文献２参照）。
【先行技術文献】
【特許文献】
【０００４】
【特許文献１】特許３８７２５０７号公報
【特許文献２】特願２００９−１３５０５７号明細書
【発明の概要】
【発明が解決しようとする課題】
【０００５】
一般に、登坂路を走行中は平坦路に比べ勾配抵抗が増加するため、平坦路走行時の速度を維持した状態で登坂路を走行するには、この増加した勾配抵抗分に相当する駆動力が必要である。特許文献２に記載の車両駆動力制御装置は、発進時及び加速時にアクセルペダルを踏み込み過ぎ、アクセルを踏むたびに無駄な燃料消費を繰り返す、という運転経験の浅いドライバーや運転技術が低いドライバーの特徴に基づき、アクセルを踏み込んでからの経過時間の増加に伴って駆動力を漸次減少させることで、この無駄な燃料消費を減らし、燃費改善を実現させるものである。したがって、特許文献２に記載の車両駆動力制御装置による制御のもと、平坦路走行時の速度を維持した状態で登坂路を走行しようと思い、ドライバーがアクセルを踏んだとしても、従来に比べ駆動力が減少していることから、意図する駆動力が得られず、それゆえ速度を維持することができなくなり、ドライバーが違和感を抱いてしまう。このため、アクセルの踏み増しが生じ、過度にアクセルを踏み込み、かえって燃料消費量が増加するという問題があった。
【０００６】
また、特許文献２に記載の車両駆動力制御装置は、シフトダウン等のシフトチェンジやカーブ走行時のステアリング操作等のドライバーの運転操作を考慮せずに、アクセルを踏み込んでからの経過時間、もしくは車速の増加に伴って目標駆動力を漸次減少させた駆動力に基づいて駆動力制御装置を制御するものである。このため、ドライバーがシフトダウンし、意図的に加速しようとしている場合に於いて、特許文献２の技術を適用していないものと同じアクセル踏み込み量では、ドライバーの意図する加速感が得られず、ドライバーが違和感を抱いてしまう。このときも、アクセルの踏み増しが生じ、過度にアクセルを踏み込み、かえって燃料消費量が増加するという問題があった。さらに、カーブを走行する際、ドライバーは道路のカーブ度合いに応じて、アクセル操作とステアリング操作とのバランスを保持しながら走行するが、特許文献２に記載の車両駆動力制御装置による制御のもとでは、この道路のカーブ度合いを考慮しておらず、走行する道路が直線に近いゆるいカーブであろうときついカーブであろうと同じ制御を行っていることから、例えば、きついカーブにさしかかりアクセル操作をしたとしても、意図する駆動力が得られない場合がある。この場合、アクセル操作とステアリング操作とのバランスが崩れ、ドライバーが違和感を抱いてしまうという問題もあった。
【０００７】
本発明は、上記の問題を解決するためになされたもので、登坂路等の走行環境が変化した場合やシフトチェンジ等のドライバーの意思に即した運転操作をした場合であっても、ドライバーの意図する加速感が得られ、かつ燃費を向上させる車両駆動力制御装置を提供することを目的とする。
【課題を解決するための手段】
【０００８】
本発明に係る車両駆動力制御装置は、アクセル開度を検出するアクセル開度センサと、前記アクセル開度に基づきアクセルペダル踏み込み開始後の経過時間を算出する経過時間算出手段と、前記アクセル開度と駆動力源の駆動力との関連特性に基づいて第１の駆動力を算出し、前記第１の駆動力を基準値として、前記経過時間の増加に伴って漸次減少する第２の駆動力を算出する駆動力算出手段と、前記第１の駆動力または第２の駆動力のうち、いずれの駆動力を目標駆動力とするかを判定する目標駆動力判定手段と、少なくとも前記目標駆動力判定手段により得られた目標駆動力に基づいて駆動力操作量を算出する駆動力操作量算出手段と、前記駆動力操作量に基づいて前記駆動力源の駆動力を制御する駆動力制御手段とを備えるようにしたものである。
【０００９】
また、本発明に係る車両駆動力制御装置は、アクセル開度を検出するアクセル開度センサと、自車の車速を検出する車速センサと、前記アクセル開度と駆動力源の駆動力との関連特性に基づいて第１の駆動力を算出し、前記第１の駆動力を基準値として、前記車速の増加に伴って漸次減少する第２の駆動力を算出する駆動力算出手段と、前記第１の駆動力または第２の駆動力のうち、いずれの駆動力を目標駆動力とするかを判定する目標駆動力判定手段と、少なくとも前記目標駆動力判定手段により得られた目標駆動力に基づいて駆動力操作量を算出する駆動力操作量算出手段と、前記駆動力操作量に基づいて前記駆動力源の駆動力を制御する駆動力制御手段とを備えるようにしたものである。
【発明の効果】
【００１０】
本発明によれば、アクセル開度と駆動力源の駆動力との関連特性に基づいて算出された第１の駆動力、または、前記第１の駆動力を基準値としてアクセルペダル踏み込み開始後の経過時間の増加に伴って漸次減少する第２の駆動力のうち、いずれの駆動力を目標駆動力とするかを判定するようにしたので、走行環境が変化した場合やドライバーの運転操作をした場合であっても、ドライバーの意図する加速感が得られ、かつ燃費を向上させる車両駆動力制御装置を提供することができる。
【００１１】
また本発明によれば、アクセル開度と駆動力源の駆動力との関連特性に基づいて算出された第１の駆動力、または、前記第１の駆動力を基準値として車速の増加に伴って漸次減少する第２の駆動力のうち、いずれの駆動力を目標駆動力とするかを判定するようにしたので、走行環境が変化した場合やドライバーの意思に即した運転操作がある場合であっても、ドライバーの意図する加速感が得られ、かつ燃費を向上させる車両駆動力制御装置を提供することができる。
【図面の簡単な説明】
【００１２】
【図１】この発明の実施の形態１による車両駆動力制御装置の構成を示すブロック図である。
【図２】この発明の実施の形態１による車両駆動力制御装置の動作を説明するタイミングチャートである。
【図３】この発明の実施の形態１による車両駆動力制御装置に於ける駆動力算出手段内で実行される処理を説明するためのフローチャートである。
【図４】この発明の実施の形態１による車両駆動力制御装置に於ける重み付け値ωの特性を示すグラフである。
【図５】この発明の実施の形態１による車両駆動力制御装置に於けるアクセル開度θと駆動力Ｐの関係を示すグラフである。
【図６】この発明の実施の形態１による車両駆動力制御装置に於ける目標駆動力判定手段内で実行される処理を説明するためのフローチャートである。
【図７】この発明の実施の形態２による車両駆動力制御装置の構成を示すブロック図である。
【図８】この発明の実施の形態２による車両駆動力制御装置の動作を説明するタイミングチャートである。
【図９】この発明の実施の形態２による車両駆動力制御装置に於ける駆動力算出手段内で実行される処理動作を説明するためのフローチャートである。
【図１０】この発明の実施の形態２による車両駆動力制御装置に於ける重み付け値ωの特性を示すグラフである。
【図１１】この発明の実施の形態２の別の形態による車両駆動力制御装置の動作を説明するタイミングチャートである。
【発明を実施するための形態】
【００１３】
実施の形態１．
図１は、この発明の実施の形態１に係る車両駆動力制御装置の構成を示すブロック図である。図１に於いて、アクセル開度センサ１０１は、アクセル（図示せず）の踏み込み量に対応したアクセル開度θを検出する。アクセル開度θは、アクセルを踏み込んだ割合を示すものであり、例えば、アクセルを踏んでいない状態ではθ＝０、アクセルを最も踏み込んだ状態ではθ＝１００％である。経過時間算出手段としての踏込み経過時間算出手段１０２は、アクセル開度センサ１０１により検出したアクセル開度θに基づき、アクセルペダル踏み込み開始後の経過時間ｔｒを算出する。具体的には、アクセル開度θ＝０で、アクセルを踏んでいない状態、すなわちアクセルペダルから足が離れている状態では、経過時間ｔｒ＝０である。次に、アクセル開度θ＝０の状態からアクセルを踏むことで、アクセル開度θは増加し、この時点を基準とした経過時間ｔｒが算出される。また、アクセル開度θｘ（θｘ≠０）の状態からアクセルをさらに踏み込んだ場合、この時点でアクセルペダルの踏み込みが開始されたことから、この時点を新たな基準とし、経過時間ｔｒが算出される。アクセル開度変化量算出手段１０３は、アクセル開度センサ１０１により検出したアクセル開度θに基づき、その変化量としてのアクセル開度変化量δθを算出する。具体的には、アクセルを踏み込んだ時点から所定時間Ｔ（例えば、0.5秒）内に於けるアクセル開度θの変化量を算出する。なお、アクセルを踏み戻した場合は、δθ＜０となるが、このときは、ドライバーの加速したいという意思がないことから、便宜上、δθ＜０の場合は、δθ＝０とする。
【００１４】
車速センサ１０４は、自車の車速Ｖｓを検出し、舵角センサ１０５は、自車のステアリングの操舵角の情報を検出する。走行抵抗算出手段１０６は、車両が走行する際に路面や空気などから受ける走行抵抗を算出する。ここで、車両の走行抵抗は、登坂路など勾配のある道を走行中に生じる勾配抵抗、車両重量に比例して生じるころがり抵抗、車速の２乗に比例して生じる空気抵抗、車両の加速度に比例して生じる加速抵抗の４つに大別され、例えば、加速走行している車両の加速度＞０であることから、加速抵抗＞０であり、このときの車両駆動力は、定速走行に必要な駆動力と車両が加速するのに必要な駆動力（余裕駆動力）を合わせた駆動力に等しい。また、定速走行している車両の加速度＝０であることから、加速抵抗＝０であり、このときの車両駆動力は、定速走行に必要な駆動力に等しい。そして、余裕駆動力は、加速抵抗に等しく、定速走行に必要な駆動力は、加速抵抗を除いた走行抵抗に等しいことから、以降では走行抵抗を基準とした値として、加速抵抗を除いた走行抵抗、すなわち、勾配抵抗、ころがり抵抗および空気抵抗を合わせたものを走行抵抗Ａと表記する。走行抵抗Ａのうち、勾配抵抗は、例えば、ナビゲーションシステムを利用することで取得可能な道路勾配を用いて算出され、ころがり抵抗は、車両重量を用いて算出され、空気抵抗は、車速センサ１０４により検出した車速Ｖｓを用いて算出される。道路曲率算出手段１０７は、車速センサ１０４により検出した車速Ｖｓおよび舵角センサ１０５により検出した操舵角情報に基づき、走行中の道路のカーブ度合い、すなわち道路曲率の絶対値を算出する。なお、道路曲率の絶対値は、車速Ｖｓおよび操舵角情報以外にも、前述のナビゲーションシステムを利用することで取得しても構わない。最後に、トランスミッションＥＣＵ１０８は、車両に搭載されるトランスミッション（変速機、図示せず）の変速比を制御するものであり、その詳細説明は省略するが、トランスミッションの変速比情報を出力する。
【００１５】
駆動力算出手段１０９は、後述する方法によって、アクセル開度センサ１０１により検出したアクセル開度θ、踏込み経過時間算出手段１０２により算出した経過時間ｔｒに基づき、第１の駆動力Ｐ１と第２の駆動力Ｐ２を算出する。目標駆動力判定手段１１０は、アクセル開度変化量算出手段１０３により算出したアクセル開度変化量δθ、走行抵抗算出手段１０６により算出した走行抵抗Ａ、道路曲率算出手段１０７により算出した道路曲率の絶対値、トランスミッションＥＣＵ１０８により得られたトランスミッションの変速比に基づき、駆動力算出手段１０９により算出した第１の駆動力Ｐ１、第２の駆動力Ｐ２のうち、いずれの駆動力を目標駆動力Ｐｔとするかを判定する。駆動力操作量算出手段１１１は、少なくとも目標駆動力判定手段１１０により判定した目標駆動力Ｐｔに基づき、駆動力操作量Ｑを算出する。
【００１６】
なお、駆動力源は、エンジンのみにより構成されている場合のほか、ハイブリッド車のようにエンジンと電動機とにより構成されている場合も含む。又、駆動力操作量算出手段１１１は、目標駆動力Ｐｔだけでなく、駆動力源の回転数、ハイブリッド車のように駆動力を電動機によりアシストする場合はその電動機によるアシスト駆動力等に基づき、駆動力操作量Ｑを算出するようにしてもよい。
【００１７】
駆動力制御手段１１２は、駆動力操作量算出手段１１１により算出した駆動力操作量Ｑに基づき、駆動力源の駆動力を制御する。具体的には、駆動力制御手段１１２は、例えば、ガソリンエンジン搭載車の場合ではスロットルバルブの開度と吸気バルブのリフト量及び開閉タイミングを制御し、ディーゼルエンジン搭載車の場合ではインジェクタの燃料噴射量及び燃料噴射タイミングを制御し、駆動力源の駆動力を制御する。さらに、ハイブリッド車や電気自動車の場合では、電動機への供給電力を制御し、駆動力源の駆動力を制御する。
【００１８】
次に、以上のように構成されたこの発明の実施の形態１に係る車両駆動力制御装置のうち、駆動力算出手段１０９と目標駆動力判定手段１１０の動作について説明する。図２は、この発明の実施の形態１による車両駆動力制御装置の動作を説明するタイミングチャートであり、横軸は時間ｔ、縦軸はそれぞれ（ａ）アクセル開度θ、（ｂ）第１の駆動力Ｐ１、（ｃ）経過時間ｔｒ、（ｄ）第２の駆動力Ｐ２、（ｅ）走行抵抗Ａ、（ｆ）トランスミッションの変速比、（ｇ）目標駆動力Ｐｔである。なお、比較のため、図２（ｄ）には、図２（ｃ）で示した第１の駆動力Ｐ１が細線で示されており、図２（ｅ）には、図２（ｄ）で示した第２の駆動力Ｐ２が細線で示されている。図２には、走行抵抗Ａに関して、アクセル開度θがθ＝θａの状態で平坦路を定速走行している車両が、時点ｔ１に於いて車両が登坂路にさしかかり、勾配抵抗が増加することで走行抵抗Ａが増加し、時点ｔａに於いて走行抵抗Ａが第２の駆動力Ｐ２より大きくなり、時点ｔ１０以降に於いて登坂路の勾配が緩やかになり、勾配抵抗が減少することで走行抵抗Ａが減少し、時点ｔｂに於いて走行抵抗Ａが第２の駆動力Ｐ２より小さくなることが示されている。また、トランスミッションの速度比に関して、時点ｔｃから時点ｔ６の間に於いて、ドライバーが意図的に加速しようとシフトダウンしたことで、トランスミッションの変速比が所定値（β）以上となることが示されている。なお、図２（ｆ）には、トランスミッションの変速比が段階的に変化するＡＴ車の場合について示したが、ＡＴ車の場合に限らず、ＭＴ車やトランスミッションの変速比が連続的に変化するＣＶＴ車の場合についても同様、トランスミッションの変速比に基づき、目標駆動力を判定してもよい。
【００１９】
駆動力算出手段１０９は、以下に述べる処理により第１の駆動力Ｐ１、第２の駆動力Ｐ２を算出する。図３は、駆動力算出手段１０９内で実行される処理を説明するためのフローチャートである。図３に示す処理は、所定時間Ｔ毎に繰り返して行なわれる。
【００２０】
図３に於いて、ステップ３０１ではアクセル開度センサ１０１により検出したアクセル開度θを取得する。ステップ３０２では、踏込み経過時間算出手段１０２にて算出した経過時間ｔｒを取得する。具体的には、例えば、図２（ａ）のアクセル開度θに対して、経過時間ｔｒは図２（ｃ）に示すような形で得られ、アクセル開度θ＞０の区間のうち、時点ｔ１から時点ｔ２までは、θ＝θａからθ＞θａになった時点ｔ１を基準とした経過時間ｔｒが算出され、時点ｔ３から時点ｔ４または時点ｔ５から時点ｔ６までは、ともにθ＝０からθ＞０になった時点、すなわち時点ｔ３または時点ｔ５を基準とした経過時間ｔｒが算出される。また、アクセル開度θ＝０の区間、すなわち時点ｔ２から時点ｔ３、時点ｔ４から時点ｔ５まで、および時点ｔ６以降ではｔｒ＝０である。
【００２１】
ステップ３０３では、ステップ３０２で取得した経過時間ｔｒから、下記の式（１）に基づき、重み付け値ωを算出する。図４は、重み付け値ωの特性を示すグラフである。図４に示すように、重み付け値ωは、経過時間ｔｒに比例する特性を備えている。
【００２２】
【数１】
2011099394.tif 000003
ただし、Ｃは定数であり、重み付け値ωの値が０≦ω≦１の範囲内となるように設定される。
【００２３】
ステップ３０４では、ステップ３０１で取得したアクセル開度θから、下記の式（２）に基づいて第１の駆動力Ｐ１を算出し、ステップ３０５では、アクセル開度θおよびステップ３０３で算出した重み付け値ωから、下記の式（３）に基づいて第２の駆動力Ｐ２を算出する。
【００２４】
【数２】
2011099394.tif 000004
【００２５】
【数３】
2011099394.tif 000005
ここで、f１(θ)は特性f１で与えられる駆動力、f２(θ)は特性f２で与えられる駆動力、Δは駆動力f１(θ)とf２(θ)との偏差である。特性f１は、アクセル開度θと駆動力源の駆動力Ｐとの関連特性であり、例えば、通常運転に適合するように設計された特性である。特性f２は、特性f１よりも駆動力が抑制され、低燃費性を重視した特性である。図５は、特性f１および特性f２で与えられる駆動力ｆ１(θ)およびｆ２(θ)の例を示したグラフである。式（１）、式（３）および図４から、第２の駆動力Ｐ２は、第１の駆動力Ｐ１の値を基準に、経過時間ｔｒの増加に伴って漸次減少する値となっていることが分かる。
【００２６】
目標駆動力判定手段１１０は、登坂路等の走行環境が変化した場合やシフトチェンジ等のドライバーの意思に即した運転操作をした場合であってもドライバーの意図する加速感が得られ、無駄な燃料消費を抑える制御を可能とする目標駆動力Ｐｔの判定を行う。図６は、目標駆動力判定手段１１０内で実行される処理を説明するためのフローチャートである。図６に示す処理は、図３に示した駆動力算出手段１０９と同じ所定時間Ｔ毎に繰り返して行なわれる。
【００２７】
図６に於いて、ステップ６０１では走行抵抗算出手段１０６により走行抵抗Ａを取得し、ステップ６０３ではトランスミッションＥＣＵ１０８よりトランスミッションの変速比を取得する。ステップ６０４ではアクセル開度変化量算出手段１０３により算出したアクセル開度変化量δθを取得する。
【００２８】
ステップ６０５では、ステップ６０１で取得した走行抵抗Ａが第２の駆動力Ｐ２より大きいか否かを判定し、走行抵抗Ａが大きいと判定した場合はステップ６０９へ進み、それ以外の場合はステップ６０６へ進む。図２の例では、時点ｔ１に於いて車両が登坂路にさしかかり、その後、時点ｔａから時点ｔｂの間に於いて、走行抵抗Ａの一つである勾配抵抗が増加した結果、走行抵抗Ａが第２の駆動力Ｐ２より大きくなり、ステップ６０９へ進む。
【００２９】
ステップ６０６では、ステップ６０２で取得した道路曲率の絶対値が所定値（α）以上であるか否かを判定し、道路曲率の絶対値がα以上であると判定した場合はステップ６０９へ進み、それ以外の場合はステップ６０７へ進む。
【００３０】
ステップ６０７では、ステップ６０３で取得したトランスミッションの変速比が所定値（β）以上であるか否かを判定し、トランスミッションの変速比がβ以上であると判定した場合はステップ６０９へ進み、それ以外の場合はステップ６０８へ進む。図２の例では、時点ｔｃから時点ｔ６の間に於いて、ドライバーが意図的に加速しようとシフトダウンしたことで、トランスミッションの変速比がβ以上となり、ステップ６０９へ進む。
【００３１】
ステップ６０８では、ステップ６０４で取得したアクセル開度変化量δθが所定値（γ）以上であるか否かを判定し、アクセル開度変化量δθがγ以上であると判定した場合はステップ６０９へ進み、それ以外の場合はステップ６１０へ進む。ステップ６０９へ進むと、駆動力算出手段１０９で算出した第１の駆動力Ｐ１を目標駆動力Ｐｔと判定する。ステップ６１０に進むと、駆動力算出手段１０９で算出した第２の駆動力Ｐ２を目標駆動力Ｐｔと判定する。
【００３２】
以上のように、目標駆動力判定手段１１０では、走行抵抗Ａが第２の駆動力Ｐ２より大きいか否か、および道路曲率の絶対値、トランスミッションの変速比、アクセル開度変化量δθが各々設定された所定値（α、β、γ）以上であるか否かを判定し、その判定に基づいて第１の駆動力Ｐ１、第２の駆動力Ｐ２のうち、いずれの駆動力を目標駆動力Ｐｔとするかを判定し、出力する。図２の例では、時点ｔａから時点ｔｂの間に於いて、走行抵抗Ａが第２の駆動力Ｐ２より大きいとの判定に基づき、第１の駆動力Ｐ１を目標駆動力Ｐｔと判定し、また時点ｔｃから時点ｔ６の間に於いて、トランスミッションの変速比がβ以上であるとの判定に基づき、第１の駆動力Ｐ１を目標駆動力Ｐｔと判定することで、これらのときの目標駆動力Ｐｔを、図２（ｇ）に示すように適切に制御することができる。
【００３３】
なお、この発明の実施の形態１では、走行抵抗Ａが第２の駆動力Ｐ２より大きいか、および道路曲率の絶対値、トランスミッションの変速比、アクセル開度変化量δθのいずれかが各々の所定値（α、β、γ）以上であれば、第１の駆動力Ｐ１を目標駆動力Ｐｔと判定する場合について示したが、目標駆動力Ｐｔの判定はこれに限られるものではなく、走行抵抗Ａが第２の駆動力Ｐ２より大きく、さらに道路曲率の絶対値、トランスミッションの変速比、アクセル開度変化量δθのすべてが各々の所定値（α、β、γ）以上の場合にのみ、第１の駆動力Ｐ１を目標駆動力Ｐｔと判定してもよいし、走行抵抗Ａが第２の駆動力Ｐ２より大きいか否かの判定のみで、目標駆動力Ｐｔの判定を行ってもよい。
【００３４】
以上述べたように、この発明の実施の形態１による車両駆動力制御装置によれば、アクセル開度と駆動力源の駆動力との関連特性に基づいて算出された第１の駆動力、または、前記第１の駆動力からアクセルペダル踏み込み開始後の経過時間の増加に伴って漸次減少する第２の駆動力のうち、走行環境の変化やドライバーの運転操作に基づいて、いずれの駆動力を目標駆動力とするかを判定するようにしたので、走行環境が変化した場合やドライバーの意思に即した運転操作をした場合に於いても、目標駆動力を適切に制御することができることから、ドライバーの意図する加速感が得られ、かつ燃費を向上させる車両駆動力制御装置を提供することができる。
【００３５】
また、この発明の実施の形態１による車両駆動力制御装置によれば、走行抵抗Ａが第２の駆動力よりも大きい場合、第１の駆動力を目標駆動力とすることで、例えば、車両が平坦路を走行中、登坂路にさしかかり、勾配抵抗を含む走行抵抗Ａが第２の駆動力よりも大きくなった場合であっても、平坦路での無駄な燃料消費を抑えつつ、登坂路でドライバーの意図する加速感が得られるので、アクセルの踏み増しを防ぐことができる。
【００３６】
また、この発明の実施の形態１による車両駆動力制御装置によれば、道路曲率の絶対値が所定値以上であれば、第１の駆動力を目標駆動力とすることで、例えば、ドライバーがきついカーブにさしかかり、アクセル操作をした場合であったとしても、道路のカーブ度合いを考慮に入れた適切な駆動力を目標駆動力とすることが可能となり、ドライバーの意図する加速感が得られる車両駆動力制御装置を提供することができる。
【００３７】
また、この発明の実施の形態１による車両駆動力制御装置によれば、トランスミッションの変速比が所定値以上であれば、第１の駆動力を目標駆動力とすることで、例えば、ドライバーが意図的に加速しようとシフトダウンした場合であっても、ドライバーの意図すする加速感が得られる車両駆動力制御装置を提供することができる。なお、トランスミッションの変速比が所定値未満であっても、例えば、高速道路での本線への合流シーンや先行車の追い越しシーン等に於いては、ドライバーは大きな加速を必要としており、このドライバーの加速したいという意思は、方向指示器等による進路変更意思を検出することにより得られる。このことから、方向指示器等による進路変更意思の検出結果に基づいて、第１の駆動力を目標駆動力とすることで、ドライバーの意図する加速感が得られる車両駆動力制御装置を提供することができる。
【００３８】
さらに、この発明の実施の形態１による車両駆動力制御装置によれば、アクセル開度変化量が所定値以上であれば、第１の駆動力を目標駆動力とすることで、例えば、ドライバーが加速感を得たいと想定される車両の加速シーン等に於いて、ドライバーの意図する加速感が得られる車両駆動力制御装置を提供することができる。
【００３９】
なお、この発明の実施の形態１に於いては、アクセル開度変化量が所定値以上であれば、第１の駆動力を目標駆動力とする場合について示したが、アクセル開度変化量はドライバーの加速したいという意思を反映した値であることから、上述のアクセル開度変化量に関する判定を行う代わりに、アクセル開度変化量に基づいて重み付け値ωを算出してもよい。具体的には、図４に示すように、アクセル開度変化量δθが大きいほど重み付け値ωの傾きＣを小さくする、すなわち、重み付け値ωがアクセル開度変化量δθに反比例するようにする。このように、アクセル開度変化量δθが大きいほど重み付け値ωを小さくすることで、ドライバーのアクセル操作に対して適切に第２の駆動力Ｐ２を制御することが可能となり、ドライバーの意図する加速感が得られ、かつ燃費を向上させる車両駆動力制御装置を提供することができる。なお、所定値（γ）以上の場合、重み付け値ωの傾きＣを０にすることで、前述のアクセル開度変化量に基づく目標駆動力の判定処理と等価の処理を行うことが可能である。
【００４０】
なお、この発明の実施の形態１に係る車両駆動力制御装置の目標駆動力判定手段１１０に於いては、図２（ｇ）に示すように、走行環境やドライバーのアクセル操作に応じた目標駆動力が判定される。しかし、時点ｔａ、時点ｔｃの前後ではアクセル開度θが一定で、さらに時点ｔａ、時点ｔｃでは第２の駆動力を選択している状態から第１の駆動力を選択する状態に変化し、目標駆動力が不連続となり、両者の差分が大きいほどドライバーに違和感を与える可能性が高くなる。このとき、目標駆動力が不連続に変化するのを防ぐために、例えば、図２（ｇ）の破線Ａ、破線Ｃに示すように線形補間することで、第２の駆動力を選択している状態から第１の駆動力を選択する状態へ徐々に変化させるように制御してもよい。このように、線形補間等の各種補間により、目標駆動力が連続的に変化するように制御することにより、ドライバーに違和感を与えないようにすることが可能となる。また、時点ｔｂの前後ではアクセル開度θが一定で、さらに時点ｔｂでは第１の駆動力を選択している状態から第２の駆動力を選択する状態に変化するが、このときも上記と同様、目標駆動力が不連続に変化するのを防ぐために、例えば、図２（ｇ）の破線Ｂに示すように線形補間することで、第１の駆動力を選択している状態から第２の駆動力を選択する状態へ徐々に変化するように制御してもよい。このように、線形補間等の各種補間により、目標駆動力が連続的に変化するように制御することにより、ドライバーに違和感を与えないようにすることが可能となる。
【００４１】
また、この発明の実施の形態１に係る車両駆動力制御装置の踏込み経過時間算出手段１０２に於いては、アクセル開度θに基づくドライバーのアクセル操作に応じて経過時間ｔｒが算出され、例えば、図２（ｃ）に示すように、アクセルペダルから足を離した時点ｔ２に於いて、アクセル開度θがθ＞０からθ＝０になり、経過時間ｔｒはｔｒ＞０からｔｒ＝０となることを示している。なお、アクセルペダルから足を離す直前の第２の駆動力をＰ２ａ（経過時間ｔｒ＞０）、再度アクセルを踏み込んだときの第２の駆動力をＰ２ｂ（経過時間ｔｒ＝０）とすると、Ｐ２ａ（θ）＜Ｐ２ｂ（θ）である。ここで、アクセルペダルから足を離した後すぐに再度アクセルを踏み込む場合、一般的なドライバーは、アクセルペダルから足を離す直前の駆動力を基準として、アクセル踏み込み量を決める、という特徴があるが、Ｐ２ａ（θ）＜Ｐ２ｂ（θ）であり、第２の駆動力を目標駆動力と判定した場合、アクセルペダルから足を離した後すぐに再度アクセルを踏み込んだとき、ドライバーの想定値以上の駆動力が発生し、ドライバーに違和感を与えるばかりか、余分に燃料を消費してしまう。このことから、アクセルペダルを足から離した後、すぐに再度アクセルを踏み込む場合、アクセル再踏み込み時にドライバーに違和感を与えないようにするために、アクセルペダルを足から離す直前の駆動力Ｐ２ａ（θ）を車両駆動力制御装置内のメモリに格納しておき、アクセル再踏み込み時の駆動力がＰ２ａ（θ）からＰ２ｂ（θ）に徐々に変化するように制御してもよい。このような制御を行うことにより、ドライバーに違和感を与えないようにすることが可能となる。
【００４２】
実施の形態２．
図７は、この発明の実施の形態２による車両駆動力制御装置の構成を示すブロック図である。図７に於いて、駆動力算出手段７０１は、アクセル開度センサ１０１により検出したアクセル開度θ、車速センサ１０４により検出した車速Ｖｓから、第１の駆動力Ｐ１、第２の駆動力Ｐ２を算出する。なお、図７以降の図中に付した符号のうち、前出のものと同一の符号は同一の部分を示す。
【００４３】
次に、以上のように構成されたこの発明の実施の形態２に係る車両駆動力制御装置の動作について説明する。図８は、この発明の実施の形態２による車両駆動力制御装置の動作を説明するタイミングチャートであり、横軸は時間ｔ、縦軸はそれぞれ（ａ）アクセル開度θ、（ｂ）第１の駆動力Ｐ１、（ｃ）自車の車速Ｖｓ、（ｄ）第２の駆動力Ｐ２、（ｅ）道路曲率の絶対値、（ｆ）アクセル開度変化量δθ、（ｇ）目標駆動力Ｐｔである。図８は、時点ｔ７に於いて発進し、時点ｔ８に於いて巡航運転状態に入り、時点ｔ９に於いて加速状態に入り、さらに時点ｔ７から時点ｔｄの間に於いて、ドライバーが大きくアクセルを踏み込むことにより、アクセル開度変化量δθが所定値（γ）以上となり、時点ｔｅから時点ｔｆの間に於いて、車両がカーブにさしかかり、このときの道路曲率の絶対値が所定値（α）以上となる場合の、アクセル開度θ、車速Ｖｓ、道路曲率の絶対値、アクセル開度変化量δθおよび各種駆動力（Ｐ１、Ｐ２、Ｐｔ）の状態を示している。
【００４４】
図９は、駆動力算出手段７０１内で実行される処理動作を説明するためのフローチャートである。図９に示す処理は、所定時間Ｔ毎に繰り返して行われる。図９に於いて、ステップ３０１ではアクセル開度センサ１０１により算出したアクセル開度θを取得する。ステップ９０１では、車速センサ１０４で算出した車速Ｖｓを取得する。具体的には、図８（ｃ）に示すような形で得られ、例えば、車両の発進時に於いて、時点ｔ７に於いてアクセル開度θが増加後、時点ｔｄに於いて車速Ｖｓが増加する。ここで、アクセル開度θが増加するタイミングと車速Ｖｓが増加するタイミングが一致していないが、これは、アクセルを踏み込んでから実際に車速Ｖｓが増加するまでに遅延があるためであり、図にはこの遅延時間を考慮した車速Ｖｓが示されている。
【００４５】
ステップ９０２では、ステップ９０１で取得した車速Ｖｓから、下記の式（４）に基づき、重み付け値ωを算出する。図１０は、重み付け値ωの特性を示すグラフである。図１０に示すように、車速Ｖｓの上昇に伴い、重み付け値ωは大きくなる。
【００４６】
【数４】
2011099394.tif 000006
【００４７】
ステップ３０４では、ステップ３０１で取得したアクセル開度θから、式（２）に基づいて第１の駆動力Ｐ１を算出し、ステップ３０５では、アクセル開度θおよびステップ９０２で算出した重み付け値ωから、式（３）に基づいて第２の駆動力Ｐ２を算出する。ここで、式（３）、式（４）および図１０より、第２の駆動力Ｐ２は、第１の駆動力Ｐ１の値を基準に、車速Ｖｓの増加に伴って漸次減少する値となっていることが分かる。以上のようにして、第２の駆動力Ｐ２を算出することで、図８に示す時点ｔ７〜ｔ８間の発進シーンや時点ｔ９以降の加速シーンに於ける第２の駆動力Ｐ２を、図８（ｄ）に示すように適切に漸減することができる。
【００４８】
目標駆動力判定手段１１０では、実施の形態１の記載と同様、走行抵抗Ａが第２の駆動力Ｐ２より大きいか否か、および道路曲率の絶対値、トランスミッションの変速比、アクセル開度変化量δθが各々設定された所定値（α、β、γ）以上であるか否かを判定し、その判定に基づいて第１の駆動力Ｐ１、第２の駆動力Ｐ２のうち、いずれの駆動力を目標駆動力Ｐｔとするかを判定し、出力する。図８の例では、時点ｔ７から時点ｔｄの間に於いて、アクセル開度変化量δθがγ以上であるとの判定に基づき、第１の駆動力Ｐ１を目標駆動力Ｐｔとし、また時点ｔｅから時点ｔｆの間に於いて、道路曲率の絶対値がα以上であるとの判定に基づき、第１の駆動力Ｐ１を目標駆動力Ｐｔと判定することで、これらのときの目標駆動力Ｐｔを、図８（ｇ）に示すように適切に制御することができる。
【００４９】
以上述べたように、この発明の実施の形態２による車両駆動力制御装置によれば、アクセル開度と駆動力源の駆動力との関連特性に基づいて算出された第１の駆動力、または、前記第１の駆動力を基準値として、車速の増加に伴って漸次減少する第２の駆動力のうち、走行環境の変化やドライバーの運転操作に基づいて、いずれの駆動力を目標駆動力とするかを判定するようにしたので、走行環境が変化した場合やドライバーの意思に即した運転操作をした場合に於いても、目標駆動力を適切に制御することができることから、ドライバーの意図する加速感が得られ、かつ燃費を向上させる車両駆動力制御装置を提供することができる。
【００５０】
なお、実施の形態２では、車速の増加に伴って漸次減少させた値を第２の駆動力として算出しているが、車速自体（すなわち車速の絶対値）ではなく、アクセル踏み込みによるアクセル操作開始時点の車速を基準とした車速の相対値（以降では車速偏差と表記）の増加に伴って漸次減少させた値を第２の駆動力として算出してもよい。以下では、図１１を参照しながら、車速偏差の増加に伴って漸次減少させた値が第２の駆動力として算出されることを説明する。図１１は、車速偏差の増加に伴って漸次減少させた値を第２の駆動力とした場合のタイミングチャートであり、横軸は時間ｔ、縦軸はそれぞれ（ａ）アクセル開度θ、（ｂ）第１の駆動力Ｐ１、（ｃ）車速Ｖｓ、（ｄ）車速偏差Ｖｔ、（ｅ）第２の駆動力Ｐ２、（ｆ）目標駆動力Ｐｔである。図１１（ｃ）、図１１（ｄ）に示すように、時点ｔ１１の発進時に於いて、アクセル踏み込みによるアクセル操作が行われ、時点ｔ１３の加速時に於いて、アクセルの再踏み込みによるアクセル操作が行われる。よって、時点ｔ１１から時点ｔ１３の直前に於いては、アクセル踏み込みによるアクセル操作開始時点の車速＝０であり、時点ｔ１３以降に於いては、アクセル踏み込みによるアクセル操作開始時点の車速＝Ｖａ（時点ｔ１２から時点ｔ１３までの間の巡航運転状態における車速）である。したがって、時点ｔ１１から時点ｔ１３の直前に於いては、車速Ｖｓと車速偏差Ｖｔは等しいことから、このときの第２の駆動力Ｐ２は、車速の増加に伴って漸次減少させた値と等しくなる。一方、時点ｔ１３以降に於いて、巡航運転状態からアクセルをさらに踏み込んで加速状態に入る場合は、アクセル踏み込みによるアクセル操作開始時点の車速＝Ｖａであることから、車速偏差Ｖｔ＝Ｖｓ−Ｖａである。そして、時点ｔ１３に於ける車速偏差Ｖｔ＝Ｖｓ−Ｖａ＝Ｖａ−Ｖａ＝０であることから、第２の駆動力Ｐ２は、第１の駆動力Ｐ１と等しくなる。以上のことから、巡航運転状態からアクセルをさらに踏み込んで加速状態に入る場合であっても、ドライバーの意図する加速感を得ることが可能となる。
【００５１】
また、前述した実施の形態１による車両駆動力制御装置によれば、アクセルペダル踏み込み開始後の経過時間の増加に伴って第２の駆動力が漸次減少する一方で、車両が平坦路を走行中、登坂路にさしかかる際に、勾配抵抗を含む走行抵抗Ａが増加することから、第２の駆動力と走行抵抗Ａの大小関係に基づいて目標駆動力を判定することで、適切に駆動力制御を行っていた。しかし、この発明の実施の形態２による車両駆動力制御装置によれば、第２の駆動力は車速の増加に伴って漸次減少する駆動力として算出され、車両が登坂路にさしかかると、走行抵抗Ａが増加し、この走行抵抗Ａが第２の駆動力よりも大きくなった場合、現在の車速での定速走行ができなくなり、車速は減少するが、この車速の減少に伴って第２の駆動力は漸次増加することから、この発明の実施の形態１に記載した第２の駆動力と走行抵抗Ａとの大小関係に基づいて目標駆動力を判定しなくても、適切に駆動力制御を行える場合もある。しかし、車速の減少に伴って第２の駆動力が漸次増加したとしても第２の駆動力が走行抵抗Ａよりも小さいままであれば、さらに車速が減少し、この車速の減少により、ドライバーに違和感を抱かせる場合もある。以上のことから、このような場合に於いても、この発明の実施の形態１の記載と同様、漸次増加した第２の駆動力が走行抵抗Ａよりも小さい場合、すなわち走行抵抗Ａが第２の駆動力よりも大きい場合、第１の駆動力を目標駆動力とすることで、平坦路での無駄な燃料消費を抑えつつ、登坂路でドライバーの意図する加速感が得られるので、アクセルの踏み増しを防ぐことができる。
【００５２】
さらに、この発明の実施の形態２による車両駆動力制御装置によれば、車両がカーブを走行する場合に於いて、カーブの手前でアクセルを緩めることで車速は減速し、前段落で記載したように、第２の駆動力は漸次増加するが、カーブ度合いによっては、ドライバーに違和感を抱かせる場合もある。したがって、カーブを走行するような場合に於いても、この発明の実施の形態１の記載と同様、道路曲率が所定値以上であれば、第１の駆動力を目標駆動力とすることで、道路のカーブ度合いを考慮に入れた適切な駆動力を目標駆動力とすることが可能となり、ドライバーに違和感を抱かせることなく、ドライバーの意図する加速感が得られる車両駆動力制御装置を提供することができる。
【００５３】
また、この発明の実施の形態２では、実施の形態１の記載と同様、トランスミッションの変速比が所定値以上であれば、第１の駆動力を目標駆動力とすることで、例えば、ドライバーが意図的に加速しようとシフトダウンした場合であっても、ドライバーの意図する加速感が得られる車両駆動力制御装置を提供することができる。なお、トランスミッションの変速比が所定値未満であっても、例えば、高速道路での本線への合流シーンや先行車の追い越しシーン等に於いては、ドライバーは大きな加速を必要としており、このドライバーの加速したいという意思は、方向指示器等による進路変更意思を検出することにより得られる。このことから、方向指示器等による進路変更意思の検出結果に基づいて、第１の駆動力を目標駆動力とすることで、ドライバーの意図する加速感が得られる車両駆動力制御装置を提供することができる。
【００５４】
さらに、この発明の実施の形態２では、実施の形態１の記載と同様、アクセル開度変化量が所定値以上であれば、第１の駆動力を目標駆動力とすることで、例えば、ドライバーが加速感を得たいと想定される車両の加速シーン等に於いて、ドライバーの意図する加速感が得られる車両駆動力制御装置を提供することができる。
【００５５】
また、この発明の実施の形態２に係る車両駆動力制御装置の目標駆動力判定手段１１０に於いては、図８（ｇ）に示すように、走行環境やドライバーのアクセル操作に応じた目標駆動力が判定される。しかし、時点ｔｅの前後ではアクセル開度θが一定で、さらに時点ｔｅでは第２の駆動力を選択している状態から第１の駆動力を選択する状態に変化し、目標駆動力が不連続となり、両者の差分が大きいほどドライバーに違和感を与える可能性が高くなる。このとき、目標駆動力が不連続に変化するのを防ぐために、図８（ｇ）の破線Ｅに示すように線形補間することで、第２の駆動力を選択している状態から第１の駆動力を選択する状態への変化が滑らかになるように制御してもよい。このように、目標駆動力が連続的に変化するように制御することにより、ドライバーに違和感を与えないようにすることが可能となる。また、時点ｔｆの前後ではアクセル開度θが一定で、さらに時点ｔｆでは第１の駆動力を選択している状態から第２の駆動力を選択する状態に変化するが、このときも上記と同様、目標駆動力が不連続に変化するのを防ぐために、図８（ｇ）の破線Ｆに示すように線形補間することで、第１の駆動力を選択している状態から第２の駆動力を選択する状態への変化が滑らかになるように制御してもよい。このように、目標駆動力が連続的に変化するように制御することにより、ドライバーに違和感を与えないようにすることが可能となる。
【００５６】
以上で説明した実施の形態１または実施の形態２に係る車両駆動力制御装置に於いて、目標駆動力判定手段１１０では、アクセル開度変化量δθ、走行抵抗Ａ、道路曲率の絶対値、トランスミッションの変速比に基づき、駆動力算出手段７０１により算出した第１の駆動力Ｐ１、第２の駆動力Ｐ２のうち、いずれの駆動力を目標駆動力Ｐｔとするかを判定していたが、この判定をドライバーによって行うようにしてもよい。例えば、第１の駆動力Ｐ１、第２の駆動力のいずれかを選択可能なスイッチを備え、ドライバーが選択した駆動力を目標駆動力Ｐｔとすることで、ドライバーの意思を反映することができることから、ドライバーの意図通りの加速度が得られ、ドライバーの燃費改善意識を反映した車両駆動力制御装置を提供することが可能となる。
【００５７】
また、車速センサ１０４等の各種センサが故障した場合等、実施の形態１または実施の形態２に係る車両駆動力制御装置の構成部が故障状態である場合に於いて、目標駆動力判定手段１１０は、第１の駆動力Ｐ１を目標駆動力とすることで、従来通りの駆動力を得ることが可能となる。これにより、車両駆動力制御装置の構成部が故障した場合であっても、従来通りの駆動力が得られる車両駆動力制御装置を提供することが可能となる。
【符号の説明】
【００５８】
１０１：アクセル開度センサ、１０２：踏込み経過時間算出手段、１０３：アクセル開度変化量算出手段、１０４：車速センサ、１０５：舵角センサ、１０６：走行抵抗算出手段、１０７：道路曲率算出手段、１０８：トランスミッションＥＣＵ、１０９：駆動力算出手段、１１０：目標駆動力判定手段、１１１：駆動力操作量算出手段、１１２：駆動力制御手段、７０１：駆動力算出手段
【図１】
2011099394.tif 000007
【図２】
2011099394.tif 000008
【図３】
2011099394.tif 000009
【図４】
2011099394.tif 000010
【図５】
2011099394.tif 000011
【図６】
2011099394.tif 000012
【図７】
2011099394.tif 000013
【図８】
2011099394.tif 000014
【図９】
2011099394.tif 000015
【図１０】
2011099394.tif 000016
【図１１】
2011099394.tif 000017